(57)【要約】【課題】取り付けられたコネクタハウジングを相手方のコネクタハウジングと嵌合し易くしても、相手方のコネクタハウジングとの間を水密に維持することができるパッキン及び該パッキンを備えたコネクタを提供する。【解決手段】コネクタ１は雄ハウジング１７とパッキン１９を備えている。雄ハウジング１７は雌ハウジングと嵌合する。パッキン１９はハウジング１７同士の嵌合方向Ｋの中央部が雄ハウジング１７に密に接触して断面Ｖ字状に形成されているとともに第１の弾性材料で構成された硬質部３０と硬質部３０の雌ハウジング側に積層されかつ雌ハウジングに密に接触するとともに第１の弾性材料よりも柔らかい第２の弾性材料で構成された軟質部３１とを備えている。【選択図】図６
2009021036.tif 000002
【特許請求の範囲】
【請求項１】
弾性材料で構成されかつ輪状に形成されているとともにコネクタハウジングに取り付けられて、このコネクタハウジングと当該コネクタハウジングに嵌合した相手方のコネクタハウジングとの間を水密に保つパッキンにおいて、
前記コネクタハウジング同士の嵌合方向の中央部が前記コネクタハウジングに密に接触して断面Ｖ字状に形成されているとともに、第１の弾性材料で構成された硬質部と、
前記硬質部の前記相手方のコネクタハウジング側に積層されかつ前記相手方のコネクタハウジングに密に接触するとともに、前記第１の弾性材料よりも柔らかい第２の弾性材料で構成された軟質部と、を備えたことを特徴とするパッキン。
【請求項２】
前記軟質部の前記コネクタハウジング同士の嵌合方向の中央部が前記相手方のコネクタハウジングに向かって凸に形成されていることを特徴とする請求項１記載のパッキン。
【請求項３】
コネクタハウジングと、
前記コネクタハウジングに取り付けられて、このコネクタハウジングと当該コネクタハウジングに嵌合した相手方のコネクタハウジングとの間を水密に保つパッキンと、を備えたコネクタにおいて、
前記パッキンとして、請求項１又は請求項２記載のパッキンを備えたことを特徴とするコネクタ。
【発明の詳細な説明】
【技術分野】
【０００１】
本発明は、電線の接続等に使用されるコネクタに用いられるパッキン及び該パッキンを備えたコネクタに関する。
【背景技術】
【０００２】
移動体としての自動車に用いられるワイヤハーネスは、複数の電線と、該電線の端末に取り付けられたコネクタとを備えている。電線は、勿論、導電性の芯線と該芯線を被覆した被覆部とを備えた所謂被覆電線である。コネクタは、相手方のコネクタや各種の電子機器などと嵌合する。ワイヤハーネスは、コネクタが相手方のコネクタや電子機器に嵌合して、前記自動車に所定のパターンで配索されて、前記電子機器に所定の電力や信号を供給する。
【０００３】
前述したコネクタとして、相手方のコネクタとの間が水密に保たれた所謂防水コネクタ（例えば、特許文献１参照）が用いられることがある。この種のコネクタは、前述した電線の端末に取り付けられる端子金具と、当該端子金具を収容したコネクタハウジングと、弾性材料で構成されかつこのコネクタハウジングに取り付けて相手方のコネクタのコネクタハウジングとの間を水密に保つパッキンとを備えている。
【０００４】
パッキンは、輪（枠）状に形成されている。パッキンは、内周側に設けられた硬質部と、外周側に設けられ前記硬質部上に積層された軟質部とを一体に備えている。硬質部及び軟質部は、それぞれ、ゴムなどの弾性を有する合成樹脂で構成されている。勿論、軟質部を構成する合成樹脂が、硬質部を構成する合成樹脂よりも柔らかい合成樹脂が用いられている。
【０００５】
前述した特許文献１に示されたコネクタは、パッキンの外周側に軟質部を設けて、相手方のコネクタと嵌合する際に、パッキンの軟質部を潰れ易くして、相手方のコネクタと嵌合し易く（嵌合する際に、コネクタ同士を近づけるために必要とされる力を弱く）している。
【特許文献１】特開２００２−１５１１９４号公報
【発明の開示】
【発明が解決しようとする課題】
【０００６】
前述した特許文献１に示されたパッキンは、外周層が内周層よりも柔らかい合成樹脂で構成されている。このため、コネクタが相手方のコネクタと嵌合した状態で、コネクタ間の圧力とコネクタ外の圧力とに差が生じて、コネクタ間内に水などの液体が浸入しようとしたり、コネクタ間の気体がコネクタ外に漏れようとする際に、外周層が柔らかい合成樹脂で構成されているため、これらの液体や気体の圧力によって、外周層がつぶれて、コネクタ間内に水などの液体が浸入（コネクタ間の気体がコネクタ外に漏れた際には外周層が潰れた隙にコネクタ間に水などの液体が浸入）しやすかった。
【０００７】
したがって、本発明の目的は、取り付けられたコネクタハウジングを相手方のコネクタハウジングと嵌合し易くしても、相手方のコネクタハウジングとの間を水密に維持することができるパッキン及び該パッキンを備えたコネクタを提供することにある。
【課題を解決するための手段】
【０００８】
上述した課題を解決し目的を達成するために、請求項１に記載された本発明のパッキンは、弾性材料で構成されかつ輪状に形成されているとともにコネクタハウジングに取り付けられて、このコネクタハウジングと当該コネクタハウジングに嵌合した相手方のコネクタハウジングとの間を水密に保つパッキンにおいて、前記コネクタハウジング同士の嵌合方向の中央部が前記コネクタハウジングに密に接触して断面Ｖ字状に形成されているとともに、第１の弾性材料で構成された硬質部と、前記硬質部の前記相手方のコネクタハウジング側に積層されかつ前記相手方のコネクタハウジングに密に接触するとともに、前記第１の弾性材料よりも柔らかい第２の弾性材料で構成された軟質部と、を備えたことを特徴としている。
【０００９】
請求項２に記載の本発明のパッキンは、請求項１に記載のパッキンにおいて、前記軟質部の前記コネクタハウジング同士の嵌合方向の中央部が前記相手方のコネクタハウジングに向かって凸に形成されていることを特徴としている。
【００１０】
請求項３に記載の本発明のコネクタは、コネクタハウジングと、前記コネクタハウジングに取り付けられて、このコネクタハウジングと当該コネクタハウジングに嵌合した相手方のコネクタハウジングとの間を水密に保つパッキンと、を備えたコネクタにおいて、前記パッキンとして、請求項１又は請求項２記載のパッキンを備えたことを特徴としている。
【発明の効果】
【００１１】
以上説明したように、請求項１に記載の本発明は、硬質部が断面Ｖ字状に形成され、かつこの硬質部の相手方のコネクタハウジング側に軟質部が積層されているので、当該硬質部とコネクタハウジングとの間に隙間が設けられている。このため、コネクタハウジングが相手方のコネクタハウジングと嵌合した状態で、コネクタハウジング間の圧力とコネクタハウジング外の圧力とに差が生じて、コネクタハウジング間内に水などの液体が浸入しようとしたり、コネクタハウジング間の気体がコネクタハウジング外に漏れようとする際に、これらの液体や気体の圧力が前述した隙間に作用して、硬質部の前述した圧力が作用した端部が相手方のコネクタハウジングに近づくように、パッキンが弾性変形して、軟質部が相手方のコネクタハウジングにより密に接触する。したがって、コネクタハウジング間内に水などの液体が浸入しようとしたり、コネクタハウジング間の気体がコネクタハウジング外に漏れようとする際に、軟質部がより相手方のコネクタハウジングに密着して、パッキンが、コネクタハウジング間を確実に水密に保つことができる。
【００１２】
また、硬質部に軟質部を積層しているので、コネクタハウジングが相手方のコネクタハウジングと嵌合する際に、軟質部が、相手方のコネクタハウジングから押圧されて、容易に弾性変形する。したがって、取り付けられたコネクタハウジングを相手方のコネクタハウジングと嵌合し易くしても、相手方のコネクタハウジングとの間を水密に維持することができる。
【００１３】
請求項２に記載の本発明は、軟質部の中央部が凸に形成されているので、相手方のコネクタハウジングと軟質部が確実に密着でき、コネクタハウジング間を確実に水密に保つことができる。
【００１４】
請求項３に記載の本発明は、前述したパッキンを備えているので、コネクタハウジング間の圧力とコネクタハウジング外の圧力とに差が生じると、硬質部の前述した圧力が作用した端部が相手方のコネクタハウジングに近づくように、パッキンが弾性変形するので、当該パッキンがコネクタハウジング間を確実に水密に保つことができる。したがって、相手方のコネクタと嵌合し易くしても、相手方のコネクタの相手方のコネクタハウジングとの間を水密に維持することができる。
【発明を実施するための最良の形態】
【００１５】
本発明の一実施形態にかかるコネクタとしての防水コネクタ（以下、単にコネクタと呼ぶ）を、図１ないし図９を参照して説明する。図１などに示す防水コネクタ１は、相手方のコネクタ２（図１及び図２に示す）と嵌合して、自動車などに配索されるワイヤハーネスを構成する。
【００１６】
相手方のコネクタ２は、図１、図２及び図４に示すように、雄型の端子金具（以下、雄端子と呼ぶ）３（図４に示す）と、雌型のコネクタハウジング（以下雌ハウジングと呼ぶ）４と、フロントホルダ５とを備えている。
【００１７】
雄端子３は、導電性の板金などを折り曲げるなどして構成されて、電線６の端末に取り付けられて当該電線６の芯線と電気的に接続されるとともに、防水コネクタ１の後述する雌端子１６と接続する。また、電線６には、後述する端子収容室１２の内面に密に接触して、当該端子収容室１２との間を水密に保つゴム栓７が取り付けられている。
【００１８】
雌ハウジング４は、絶縁性の合成樹脂で構成されている。雌ハウジング４は、図１、図２及び図４に示すように、複数の雄端子３を収容する箱状の本体部１０と、筒状の套体部１１と、を備えている。なお、本明細書では、筒状に形成されて内側に雄ハウジング１７の本体部２２やフロントホルダ１８などが挿入されるコネクタハウジングを雌型のコネクタハウジングと呼ぶ。なお、雌ハウジング４は、特許請求の範囲に記載された相手方のコネクタハウジングに相当する。
【００１９】
本体部１０には、互いに並設されて、各々が雄端子３を収容する複数の端子収容室１２が設けられている。各端子収容室１２の内面には、雄端子３に係止する係止アーム８が設けられている。
【００２０】
套体部１１は、筒状に形成され、かつ内側に雄ハウジング１７の後述する本体部２２及びフロントホルダ１８を受け入れることが可能な箱状（筒状）に形成されている。套体部１１は、本体部１０に連なっている。
【００２１】
套体部１１の図中上側に位置する外表面には、ロック係止部としてのロック突起１４が形成されている。ロック突起１４は、套体部１１の外表面から突出している。ロック突起１４は、後述するロック腕２４と係合する。
【００２２】
フロントホルダ５は、絶縁性の合成樹脂で構成されて、筒状に形成されている。フロントホルダ５は、本体部１０に取り付けられる。フロントホルダ５は、本体部１０に取り付けられると、雄端子３を内側に通すとともに、係止アーム８の雄端子３への係止が解除することを規制して、当該雄端子３が本体部１０即ち雌ハウジング４から脱落することを規制する。
【００２３】
前述した相手方のコネクタ２は、電線６が取り付けられた雄端子３を雌ハウジング４の本体部１０の端子収容室１２内に収容して、係止アーム８が雄端子３に係止した後、フロントホルダ５が本体部１０に取り付けられて、組み立てられる。
【００２４】
コネクタ１は、図３及び図４に示すように、雌型の端子金具（以下、雌端子と呼ぶ）１６と、雄型のコネクタハウジング（以下雄ハウジングと呼ぶ）１７と、フロントホルダ１８と、パッキン１９とを備えている。
【００２５】
雌端子１６は、導電性の板金などを折り曲げるなどして構成されて、電線２０の端末に取り付けられて当該電線２０の芯線と電気的に接続されるとともに、雄端子３と接続する。また、電線２０には、後述する端子収容室２５の内面に密に接触して、当該端子収容室２５との間を水密に保つゴム栓２１が取り付けられている。
【００２６】
雄ハウジング１７は、絶縁性の合成樹脂で構成されている。雄ハウジング１７は、図１、乃至図４に示すように、本体部２２と、筒状の套体部２３と、ロック腕２４と、を備えている。なお、本明細書では、筒状の雌ハウジング４内に挿入される本体部２２などを備えたコネクタハウジングを雄型のコネクタハウジングと呼ぶ。なお、雄ハウジング１７は、特許請求の範囲に記載されたコネクタハウジングに相当する。
【００２７】
本体部２２は、図４に示すように、箱状に形成され、かつ互いに並設されて各々が雌端子１６を収容する端子収容室２５が複数設けられている。各端子収容室２５の内面には、雌端子１６に係止する係止アーム９が設けられている。本体部２２は、フロントホルダ１８とともに、端子収容室１２，２５が互いに連続するように、套体部１１内に挿入される。
【００２８】
套体部２３は、内側に本体部２２を収容した箱状（筒状）に形成されている。套体部２３は、本体部２２の外縁に連なっている。套体部２３は、内側に雌ハウジング４を受け入れる。
【００２９】
ロック腕２４は、合成樹脂からなり弾性変形自在である。ロック腕２４は、図２及び図３に示すように、長手方向が端子収容室２５と平行に配置された棒状に形成されて、相手方のコネクタ２から離れた側の一端部が本体部２２の外表面に連なりかつ他端部が自由端の片持ち梁状に形成されている。
【００３０】
ロック腕２４の長手方向は、ハウジング１７，４が互いに嵌合する際にこれらのハウジング１７，４が互いに近づく方向Ｋ（以下、この方向を嵌合方向と呼ぶ）に沿っている。ロック腕２４には、ロック孔２８が貫通している。
【００３１】
ロック腕２４は、コネクタ１，２のコネクタハウジング１７，４同士が近づくと、ロック突起１４上に乗り上げて、一旦、他端部が本体部２２から離れる方向に弾性変形する。そして、ロック突起１４を乗り越えて、当該ロック突起１４がロック孔２８内に侵入すると、他端部が本体部２２に近づいて、当該ロック腕２４が弾性変形していない中立状態に復帰して、ロック孔２８内にロック突起１４を位置付ける。こうして、ロック腕２４は、ロック突起１４と係合して、コネクタハウジング１７，４同士即ちコネクタ１，２同士を嵌合させる。このとき、勿論、コネクタハウジング１７，４同士即ちコネクタ１，２同士は、嵌合方向Ｋに沿って、互いに近づいて嵌合する。
【００３２】
フロントホルダ１８は、絶縁性の合成樹脂で構成されている。フロントホルダ１８は、筒状に形成されているとともに、本体部２２に取り付けられる。フロントホルダ１８は、本体部２２に取り付けられると、係止アーム９の雌端子１６への係止が解除することを規制して、当該雌端子１６が本体部２２即ち雄ハウジング１７から脱落することを規制する。
【００３３】
パッキン１９は、ゴムなどの弾性を有する合成樹脂（即ち、弾性材料）で構成されており、図５（ａ）及び図５（ｂ）に示すように、輪状（図示例では枠状）に形成されている。なお、本明細書でいう輪状とは、平面形状が円環状である場合と枠状をなす場合との双方を示している。パッキン１９は、内側に雄ハウジング１７の本体部２２を通して、この本体部２２の外周面に当該本体部２２の全周に亘って設けられている。
【００３４】
パッキン１９は、図５（ａ）及び図５（ｂ）に示すように、硬質部３０と、軟質部３１とを一体に備えている。硬質部３０と軟質部３１との双方は、勿論、輪状（図示例では枠状）に形成されており、硬質部３０の外周即ち雌ハウジング４の套体部１１側に軟質部３１が積層されて構成されている。硬質部３０は、図６に示すように、雄ハウジング１７の本体部２２に取り付けられた状態で、嵌合方向Ｋの中央部が雄ハウジング１７の本体部２２の外周面に密に接触した断面Ｖ字状に形成されている。なお、図示例では、硬質部３０の嵌合方向Ｋの中央部は、接着剤によって、雄ハウジング１７の本体部２２の外周面に取り付けられている。硬質部３０は、ゴムなどの弾性を有する第１の弾性材料で構成されている。
【００３５】
硬質部３０は、主にその嵌合方向Ｋの中央部が雄ハウジング１７の本体部２２に密に接触して、当該雄ハウジング１７の本体部２２との間を水密に保つ。また、硬質部３０は、断面Ｖ字状に形成されているので、嵌合方向Ｋの両端部が雄ハウジング１７の本体部２２の外周面から離間して、当該外周面との間に隙間Ｓを設けている。
【００３６】
軟質部３１は、硬質部３０の外周に積層されている。軟質部３１は、嵌合方向Ｋの中央部が雄ハウジング１７の本体部２２の外周に向かって凸の断面山形に形成されている。即ち、軟質部３１は、嵌合方向Ｋの中央部が雄ハウジング１７に嵌合した雌ハウジング４の套体部１１に向かって凸に形成されている。軟質部３１は、ゴムなどの弾性を有し、かつ前記第１の弾性材料よりも柔らかい第２の弾性材料で構成されている。軟質部３１は、主にその嵌合方向Ｋの中央部が雄ハウジング１７に嵌合した雌ハウジング４の套体部１１に密に接触して、当該雌ハウジング４の套体部１１との間を水密に保つ。
【００３７】
前述したパッキン１９は、雄ハウジング１７の本体部２２の外周面上に全周に亘って取り付けられる。パッキン１９は、コネクタハウジング１７，４同士即ちコネクタ１，２同士が嵌合すると、図７に示すように、雄ハウジング１７の本体部２２の外周面と雌ハウジング４の套体部１１の内周面との双方に密に接触して、これらの間を水密に保つ。即ち、パッキン１９は、雄ハウジング１７と当該雄ハウジング１７に嵌合した雌ハウジング４との間を水密に保つ。
【００３８】
前述したコネクタ１は、電線２０が取り付けられた雌端子１６を雄ハウジング１７の本体部２２の端子収容室２５内に収容して、係止アーム９が雌端子１６に係止した後、本体部２２の外周にパッキン１９が取り付けられ、そして、フロントホルダ１８が本体部２２に取り付けられて、組み立てられる。
【００３９】
前述したコネクタ１，２同士は、以下のように嵌合する。コネクタ１，２は、図２に示すように、ハウジング１７，４の套体部２３，１１の開口部が互いに相対した状態に配置された後、これらのハウジング１７，４同士が端子収容室２５，１２の長手方向即ち嵌合方向Ｋに沿って移動されて、互いに近づけられる。
【００４０】
そして、雄ハウジング１７の套体部２３内に雌ハウジング４を徐々に挿入していくとともに、雌ハウジング４の套体部１１内に雄ハウジング１７の本体部２２及びフロントホルダ１８を徐々に挿入していく。そして、ロック腕２４とロック突起１４とが、互いに係合し、かつパッキン１９が雌ハウジング４の套体部１１の内周面に密に接触して、コネクタ１，２同士が嵌合する。この、コネクタ１，２同士が嵌合した状態では、雄ハウジング１７の本体部２２と雌ハウジング４の套体部１１とが互いに間隔をあけている。
【００４１】
また、ハウジング１７，４同士即ちコネクタ１，２同士が嵌合する際には、軟質部３１が前述した第２の弾性材料で構成されているので、雌ハウジング４の套体部１１によってパッキン１９の主に軟質部３１の中央部が潰される。また、ハウジング１７，４同士即ちコネクタ１，２同士が嵌合すると、図７に示すように、主に軟質部３１の中央部が潰されて、雌ハウジング４の套体部１１の内周面に密に接触する。
【００４２】
この状態で、パッキン１９と雄ハウジング１７の本体部２２と雌ハウジング４の套体部１１とで囲まれる空間Ｋ１（図４に示し、以下、この空間Ｋ１をハウジング１７，４間の空間と呼ぶ）内の圧力と、雄ハウジング１７外の空間の圧力に差が生じると、ハウジング１７，４間の空間Ｋ１に水などの液体が侵入しようとしたり、ハウジング１７，４間の空間Ｋ１の気体が雄ハウジング１７外の空間に漏れようとする。このとき、液体や気体の圧力が、前述したパッキン１９の硬質部３０と雄ハウジング１７の本体部２２の外周面との間の隙間Ｓに作用して、硬質部３０の嵌合方向Ｋの端部を雄ハウジング１７の本体部２２の外側即ち雌ハウジング４に向かって押圧する。
【００４３】
例えば、ハウジング１７，４間の空間Ｋ１の気体が雄ハウジング１７外の空間に漏れようとする際には、当該気体の圧力Ｐ（図８中に矢印で示す）が、隙間Ｓのうちの雌ハウジング４寄りの隙間Ｓに作用して、硬質部３０の雌ハウジング４寄りの端部を雄ハウジング１７の本体部２２の外側即ち雌ハウジング４に向かって押圧する。すると、図９に示すように、硬質部３０の圧力Ｐが作用した端部が雌ハウジング４の套体部１１に近づくように、硬質部３０即ちパッキン１９が弾性変形して、軟質部３１が雌ハウジング４の套体部１１により密着する。このように、ハウジング１７，４間の空間Ｋ１の圧力と、雄ハウジング１７外の空間の圧力に差が生じて、ハウジング１７，４間の空間Ｋ１に水などの液体が侵入しようとしたり、ハウジング１７，４間の空間Ｋ１の気体が雄ハウジング１７外の空間に漏れようとすると、硬質部３０の圧力Ｐが作用した端部が雌ハウジング４の套体部１１に近づくように、硬質部３０即ちパッキン１９が弾性変形して、当該パッキン１９がハウジング１７，４間を水密に保つ。
【００４４】
また、前述した実施形態では、雄ハウジング１７外の水などの液体が空間Ｋ１内に浸入しようする場合には、勿論、隙間Ｓのうちの雌ハウジング４から離れた側の隙間に水などの液体が浸入して、当該液体がパッキン１９の雌ハウジング４から離れた側の端部を雌ハウジング４の套体部１１の内周面に向かって押圧する。そして、パッキン１９の雌ハウジング４から離れた側の端部が雌ハウジング４の套体部１１に近づくように、硬質部３０即ちパッキン１９が弾性変形して、当該パッキン１９がハウジング１７，４間を水密に保つ。
【００４５】
本実施形態によれば、硬質部３０が断面Ｖ字状に形成され、かつこの硬質部３０の雌ハウジング４の套体部１１側に軟質部３１が積層されているので、当該硬質部３０と雄ハウジング１７の本体部２２との間に隙間Ｓが設けられている。このため、雄ハウジング１７が雌ハウジング４と嵌合した状態で、ハウジング１７，４間の空間Ｋ１の圧力と雄ハウジング１７外の空間の圧力とに差が生じて、ハウジング１７，４間の空間Ｋ１内に水などの液体が浸入しようとしたり、ハウジング１７，４間の空間Ｋ１の気体が雄ハウジング１７外に漏れようとする際に、これらの液体や気体の圧力Ｐが前述した隙間Ｓに作用して、硬質部３０の前述した圧力が作用した端部が雌ハウジング４の套体部１１に近づくように、パッキン１９が弾性変形する。
【００４６】
このため、ハウジング１７，４間の空間Ｋ１の圧力と雄ハウジング１７外の空間の圧力とに差が生じると、軟質部３１が雌ハウジング４の套体部１１により密に接触する。したがって、ハウジング１７，４間の空間Ｋ１内に水などの液体が浸入しようとしたり、ハウジング１７，４間の空間Ｋ１内の気体が雄ハウジング１７外に漏れようとする際に、軟質部３１がより雌ハウジング４に密着して、パッキン１９が、ハウジング１７，４間を確実に水密に保つことができる。
【００４７】
また、硬質部３０に軟質部３１を積層しているので、雄ハウジング１７が雌ハウジング４と嵌合する際に、軟質部３１が、雌ハウジング４から押圧されて、容易に弾性変形する。したがって、取り付けられた雄ハウジング１７を雌ハウジング４と嵌合し易くしても、雌ハウジング４との間を水密に維持することができる。
【００４８】
また、パッキン１９は、軟質部３１の中央部が凸に形成されているので、雌ハウジング４と軟質部３１が確実に密着でき、ハウジング１７，４間を確実に水密に保つことができる。
【００４９】
さらに、コネクタ１は、前述したパッキン１９を備えているので、相手方のコネクタ２と嵌合し易くしても、相手方のコネクタ２の雌ハウジング４との間を水密に維持することができる。
【００５０】
前述した実施形態では、硬質部３０の外周に軟質部３１を積層してパッキン１９を構成している。しかしながら、本発明では、硬質部３０の内周に軟質部３１を積層してパッキン１９を構成しても良い。この場合、パッキン１９の硬質部３０の中央部を雌ハウジング４の套体部１１の内周面に取り付けることが望ましい。なお、この場合、雌ハウジング４が特許請求の範囲に記載されたコネクタハウジングに相当し、雄ハウジング１７が特許請求の範囲に記載された相手方のコネクタハウジングに相当する。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の一実施形態にかかるコネクタが相手方のコネクタと嵌合した状態を示す斜視図である。
【図２】図１に示されたコネクタ同士を分離させた状態を示す斜視図である。
【図３】図１に示されたコネクタを分解して示す斜視図である。
【図４】図１中のＩＶ−ＩＶ線に沿う断面図である。
【図５】（ａ）は図１に示されたコネクタのパッキンの斜視図であり、（ｂ）は図５（ａ）に示されたパッキンの断面を示す斜視図である。
【図６】図４に示されたコネクタの要部を示す断面図である。
【図７】図４中のＶＩＩＩ部を拡大して示す断面図である。
【図８】図７に示された隙間に圧力が作用する状態を示す断面図である。
【図９】図８に示されたパッキンが弾性変形した状態を示す断面図である。
【符号の説明】
【００５３】
１  防水コネクタ（コネクタ）
４  雌ハウジング（相手方のコネクタハウジング）
１７  雄ハウジング（コネクタハウジング）
１９  パッキン
３０  硬質部
３１  軟質部
Ｋ  嵌合方向
【図１】
2009021036.tif 000003
【図２】
2009021036.tif 000004
【図３】
2009021036.tif 000005
【図４】
2009021036.tif 000006
【図５】
2009021036.tif 000007
【図６】
2009021036.tif 000008
【図７】
2009021036.tif 000009
【図８】
2009021036.tif 000010
【図９】
2009021036.tif 000011